(57)【要約】【課題】レンズ保持部材の位置の変位の直線性を高めることができるレンズ駆動装置を提供する。【解決手段】レンズ駆動装置１００は、レンズ体を保持可能なレンズ保持部材１と、一部がレンズ保持部材１に固定されレンズ保持部材１を移動可能に支持する上側板ばね２及び下側板ばね３と、上側板ばね２及び下側板ばね３の他部が固定される支持部材７０と、レンズ保持部材１を光軸方向ＤＲ１に沿って移動させる少なくとも磁石５及びコイル６を有して構成される移動機構５０と、を備え、上側板ばね２及び下側板ばね３は、一部と他部との間に、少なくとも１つの折返し部ＲＰと折返し部ＲＰに繋がる複数の腕部ＡＰとを有するばね部ＳＰを備えたレンズ駆動装置において、上側板ばね２と下側板ばね３とのうちの少なくとも一方は、複数の腕部ＡＰの長さが異なっていると共に、長さの長い腕部ＡＰの断面積を長さの短い腕部ＡＰの断面積よりも大きくした。【選択図】図６
2016053625.tif 000002
【特許請求の範囲】
【請求項１】
レンズ体を保持可能なレンズ保持部材と、
一部が前記レンズ保持部材に固定され当該レンズ保持部材を光軸方向へ移動可能に支持する上側板ばね及び下側板ばねと、
前記上側板ばね及び下側板ばねの他部が固定される支持部材と、
前記レンズ保持部材を光軸方向に沿って移動させる少なくとも磁石及びコイルを有して構成される移動機構と、
を備え、
前記上側板ばね及び下側板ばねは、前記一部と他部との間に、少なくとも１つの折返し部と当該折返し部に繋がる複数の腕部とを有するばね部を備えたレンズ駆動装置において、
前記上側板ばねと下側板ばねとのうちの少なくとも一方は、前記複数の腕部の長さが異なっていると共に、長さの長い腕部の断面積を長さの短い腕部の断面積よりも大きくしたことを特徴とするレンズ駆動装置。
【請求項２】
前記長さの長い腕部と前記長さの短い腕部とは、厚さ寸法が同一であり、前記長さの長い腕部の幅寸法を前記長さの短い腕部の幅寸法よりも太くしたことを特徴とする請求項１に記載のレンズ駆動装置。
【請求項３】
前記長さの長い腕部は、前記長さの短い腕部から離れた一端部から前記長さの短い腕部側に位置する他端部側に向かって、次第に幅寸法が狭くなっていることを特徴とする請求項２に記載のレンズ駆動装置。
【請求項４】
前記長さの長い腕部は、蛇行するように延設されていることを特徴とする請求項１ないし請求項３のいずれかに記載のレンズ駆動装置。
【請求項５】
前記上側板ばねと下側板ばねとの両方が、前記複数の腕部の長さが異なっていると共に、前記長さの長い腕部の断面積を前記長さの短い腕部の断面積よりも大きくしていることを特徴とする請求項１ないし請求項４のいずれかに記載のレンズ駆動装置。
【発明の詳細な説明】
【技術分野】
【０００１】
本発明は、レンズ駆動装置に関し、特に、レンズ体を保持可能なレンズ保持部材が板ばねにより保持されたレンズ駆動装置に関するものである。
【背景技術】
【０００２】
昨今、静止画や動画の撮影機能を備えた携帯機器が多い。このような携帯機器には被写体の撮影時に撮影画像の焦点を自動で合わせるために、レンズ体を駆動させるレンズ駆動装置が内蔵されている。携帯機器に用いられるレンズ駆動装置としては、下記の特許文献１に記載のレンズ駆動装置が知られている。
【０００３】
以下、図１９および図２０を用いて、特許文献１に記載のレンズ駆動装置について説明する。図１９は特許文献１に記載のレンズ駆動装置９００の構成を示す分解斜視図である。図２０は特許文献１に記載のレンズ駆動装置９００における弾性部材９１１の外観を示す斜視図である。
【０００４】
特許文献１に記載のレンズ駆動装置９００は、図１９に示すように、ベース部材９０１と、ヨーク９０８と、レンズ保持部材（レンズ保持体９０３）と、コイル９０４と、磁石９０５と、弾性部材９１１と、を有し、コイル９０４に通電することでレンズ保持体９０３が光軸方向に移動する。弾性部材９１１は、図２０に示すように、下側板ばね９０６と上側板ばね９０７とからなる。下側板ばね９０６は、基台部９０６ａと、取り付け部９０６ｃとを有し、基台部９０６ａの一方端側と取り付け部９０６ｃの一方端側とは多段に折り返した線状に形成された下側ばね部９０６ｅによって連結されており、基台部９０６ａの他方端側と取り付け部９０６ｃの他方端側とも同様に下側ばね部９０６ｅによって連結されている。上側板ばね９０７も、下側板ばね９０６と同様の構造である。下側板ばね９０６は、基台部９０６ａがベース部材９０１に固定されるとともに、取り付け部９０６ｃがレンズ保持体９０３に係止され、レンズ保持体９０３を光軸方向に移動可能に保持している。
【先行技術文献】
【特許文献】
【０００５】
【特許文献１】実用新案登録第３１７９６３４号公報
【発明の概要】
【発明が解決しようとする課題】
【０００６】
レンズ駆動装置９００は、コイル９０４に通電した際に、レンズ保持体９０３の位置が線形的に変化することが望まれる。すなわち、レンズ保持体９０３の位置変化の直線性が良いことが求められている。しかしながら、レンズ駆動装置９００においては、下側板ばね９０６の下側ばね部９０６ｅは多段に折り返した線状に形成され、折り返した前後で腕部の断面積が同じありながら長さが異なるため、折り返した前後でばね定数が異なる。そのため、レンズ保持体９０３が光軸方向に移動する際に、下側板ばね９０６のばね定数が変化するため、レンズ保持体９０３の位置の変位の直線性が悪いという問題があった。
【０００７】
本発明は、上述した課題を解決して、レンズ保持部材の位置の変位の直線性を高めることができるレンズ駆動装置を提供するものである。
【課題を解決するための手段】
【０００８】
本発明のレンズ駆動装置は、レンズ体を保持可能なレンズ保持部材と、一部が前記レンズ保持部材に固定され当該レンズ保持部材を光軸方向へ移動可能に支持する上側板ばね及び下側板ばねと、前記上側板ばね及び下側板ばねの他部が固定される支持部材と、前記レンズ保持部材を光軸方向に沿って移動させる少なくとも磁石及びコイルを有して構成される移動機構と、を備え、前記上側板ばね及び下側板ばねは、前記一部と他部との間に、少なくとも１つの折返し部と当該折返し部に繋がる複数の腕部とを有するばね部を備えたレンズ駆動装置において、前記上側板ばねと下側板ばねとのうちの少なくとも一方は、前記複数の腕部の長さが異なっていると共に、長さの長い腕部の断面積を長さの短い腕部の断面積よりも大きくした、ことを特徴とする。
【０００９】
これにより、腕部の長さが異なっていても、長さの長い腕部の断面積を長さの短い腕部の断面積よりも大きくしているので、複数の腕部のばね定数を同じ値に近づけることができる。このため、ばね部のばね定数が、レンズ保持部材の光軸方向における位置で変わりにくくなり、コイルに通電した際のレンズ保持部材の位置の変位の直線性を改善することができる。
【００１０】
また、本発明のレンズ駆動装置は、前記長さの長い腕部と前記長さの短い腕部とは、厚さ寸法が同一であり、前記長さの長い腕部の幅寸法を前記長さの短い腕部の幅寸法よりも太くした、ことを特徴とする。
【００１１】
これにより、厚さ寸法を固定し、幅寸法を変えることで断面積を調整する構成とすることにより、部位毎に厚さ寸法を変えることで断面積を調整する構成に比べて容易に断面積の調整を行うことができる。
【００１２】
また、本発明のレンズ駆動装置は、前記長さの長い腕部は、前記長さの短い腕部から離れた一端部から前記長さの短い腕部側に位置する他端部側に向かって、次第に幅寸法が狭くなっている、ことを特徴とする。
【００１３】
これにより、長さの長い腕部が、一端部から長さの短い腕部側に位置する他端部側に向かって次第に幅寸法を狭くする構造とした。このような構造にすることで、長さの長い腕部におけるばね定数と長さの短い腕部のばね定数とを同じ値に近づけるとともに、折返し部の長さの長い腕部側の幅寸法と長さの短い腕部側の幅寸法との差を小さくすることができる。したがって、急激に幅寸法が変化する箇所が無くなり、応力の集中による破断などを発生しにくくすることができる。
【００１４】
また、本発明のレンズ駆動装置は、前記長さの長い腕部は、蛇行するように延設されている、ことを特徴とする。
【００１５】
これにより、長さの長い腕部を、蛇行するように延設することで、限られた領域の中で腕部の長さをより長く確保することが可能となり、長さの長い腕部のばね定数と長さの短い腕部のばね定数とを同じ値に近づくように調整し易くすることができる。
【００１６】
また、本発明のレンズ駆動装置は、前記上側板ばねと下側板ばねとの両方が、前記複数の腕部の長さが異なっていると共に、前記長さの長い腕部の断面積を前記長さの短い腕部の断面積よりも大きくしている、ことを特徴とする。
【００１７】
これにより、両方の板ばねのばね部のばね定数が、レンズ保持部材の光軸方向における位置によって変化しにくくなり、コイルに通電した際のレンズ保持部材の位置の変位の直線性を、いっそう向上させることができる。
【発明の効果】
【００１８】
本発明によれば、ばね部のばね定数が、レンズ保持部材の光軸方向における位置で変わりにくくなり、コイルに通電した際のレンズ保持部材の位置の変位の直線性を改善することができる。
【図面の簡単な説明】
【００１９】
【図１】第１実施形態におけるレンズ駆動装置１００の外観を示す斜視図である。
【図２】第１実施形態におけるレンズ駆動装置１００の構成を示す分解斜視図である。
【図３】第１実施形態におけるレンズ保持部材１を示す図であり、図３（ａ）はレンズ保持部材１の外観を示す斜視図であり、図３（ｂ）は図３（ａ）に記載のＺ２方向側から見た状態のレンズ保持部材１を示す斜視図であり、図３（ｃ）はレンズ体ＬＥを保持したレンズ保持部材１の、図３（ａ）に記載のＸ２方向側から見た状態を示す模式側面図である。
【図４】第１実施形態におけるコイル６が外周に沿って巻回されたレンズ保持部材１を示す図であり、図４（ａ）はコイル６が巻回されたレンズ保持部材１の外観を示す斜視図であり、図４（ｂ）は図４（ａ）に記載のＺ２方向側から見た状態のコイル６が巻回されたレンズ保持部材１の外観を示す斜視図である。
【図５】第１実施形態における弾性部材１０の外観を示す斜視図である。
【図６】第１実施形態における上側板ばね２を示す図であり、図６（ａ）は図５に記載のＺ１方向側から見た状態の上側板ばね２を示す平面図であり、図６（ｂ）は図６（ａ）に記載のＡ部を拡大して示した拡大図である。
【図７】第１実施形態におけるカバー部材９を示す図であり、図７（ａ）はカバー部材９の外観を示す斜視図であり、図７（ｂ）は図７（ａ）に記載のＺ２方向側から見た状態のカバー部材９を示す斜視図である。
【図８】第１実施形態におけるヨーク７を示す図であり、図８（ａ）はヨーク７の外観を示す斜視図であり、図８（ｂ）は図８（ａ）に記載のＺ２方向側から見た状態のヨーク７を示す平面図である。
【図９】第１実施形態におけるベース部材８を示す図であり、図９（ａ）はベース部材８の外観を示す斜視図であり、図９（ｂ）はベース部材８に埋設されている金属部材４の外観を示す模式透視図である。
【図１０】第１実施形態における上側板ばね２、カバー部材９およびヨーク７の係合方法について示す説明図であり、図１０（ａ）は上側板ばね２、カバー部材９およびヨーク７の位置関係を示す分解斜視図であり、図１０（ｂ）は上側板ばね２、カバー部材９およびヨーク７が一体に形成された状態を示す斜視図である。
【図１１】第１実施形態における磁石５の固定方法について示す説明図であり、図１１（ａ）は磁石５とヨーク７との位置関係を示す分解斜視図であり、図１１（ｂ）は磁石５がヨーク７の内部に固定された状態を示す平面図である。
【図１２】第１実施形態における下側板ばね３のレンズ保持部材１への固定方法について示す説明図であり、図１２（ａ）は下側板ばね３とレンズ保持部材１との位置関係について示す分解斜視図であり、図１２（ｂ）は下側板ばね３がレンズ保持部材１に固定された状態を示す斜視図である。
【図１３】図１２に記載のＢ部を拡大して示す拡大図であり、図１３（ａ）は図１２に記載のＸ２方向側から見た状態のＢ部を示す拡大側面図であり、図１３（ｂ）は図１２に記載のＺ２方向側から見た状態のＢ部を示す拡大平面図である。
【図１４】第１実施形態における下側板ばね３のベース部材８への固定方法について示す説明図であり、図１４（ａ）は下側板ばね３とベース部材８との位置関係を示す分解斜視図であり、図１４（ｂ）は下側板ばね３がベース部材８に固定された状態を示す斜視図である。
【図１５】第１実施形態におけるヨーク７とベース部材８との固定方法およびレンズ保持部材１と上側板ばね２との固定方法について示す説明図であり、図１５（ａ）はヨーク７とベース部材８との位置関係を示す分解斜視図であり、図１５（ｂ）はヨーク７とベース部材８とが固定された状態およびレンズ保持部材１と上側板ばね２とが固定された状態を示す斜視図である。
【図１６】図１に記載のレンズ駆動装置１００を図１に記載のＺ１方向側から平面視したときに、レンズ駆動装置１００を対角線に沿って切断した断面を模式的に示す模式断面図である。
【図１７】第２実施形態における下側板ばね３２を示す図であり、図１７（ａ）は下側板ばね３２の外観を示す平面図であり、図１７（ｂ）は図１７（ａ）に記載のＣ部を拡大して示す拡大図である。
【図１８】ばね部ＳＰの形状の変形例を示す図であり、図１８（ａ）は弾性部材１０の形状の変形例を示す平面図であり、図１８（ｂ）は図１８（ａ）に示すＤ部を拡大して示す拡大図である。
【図１９】特許文献１に記載のレンズ駆動装置９００の構成を示す分解斜視図である。
【図２０】特許文献１に記載のレンズ駆動装置９００における弾性部材９１１の外観を示す斜視図である。
【発明を実施するための形態】
【００２０】
［第１実施形態］
以下に第１実施形態におけるレンズ駆動装置１００について説明する。
【００２１】
まず始めに第１実施形態におけるレンズ駆動装置１００の構成について図１ないし図９を用いて説明する。図１は第１実施形態におけるレンズ駆動装置１００の外観を示す斜視図である。図２は第１実施形態におけるレンズ駆動装置１００の構成を示す分解斜視図である。図３は第１実施形態におけるレンズ保持部材１を示す図であり、図３（ａ）はレンズ保持部材１の外観を示す斜視図であり、図３（ｂ）は図３（ａ）に記載のＺ２方向側から見た状態のレンズ保持部材１を示す斜視図であり、図３（ｃ）はレンズ体ＬＥを保持したレンズ保持部材１の、図３（ａ）に記載のＸ２方向側から見た状態を示す模式側面図である。図４は第１実施形態におけるコイル６が外周に沿って巻回されたレンズ保持部材１を示す図であり、図４（ａ）はコイル６が巻回されたレンズ保持部材１の外観を示す斜視図であり、図４（ｂ）は図４（ａ）に記載のＺ２方向側から見た状態のコイル６が巻回されたレンズ保持部材１の外観を示す斜視図である。図５は第１実施形態における弾性部材１０の外観を示す斜視図である。図６は第１実施形態における上側板ばね２を示す図であり、図６（ａ）は図５に記載のＺ１方向側から見た状態の上側板ばね２を示す平面図であり、図６（ｂ）は図６（ａ）に記載のＡ部を拡大して示した拡大図である。図７は第１実施形態におけるカバー部材９を示す図であり、図７（ａ）はカバー部材９の外観を示す斜視図であり、図７（ｂ）は図７（ａ）に記載のＺ２方向側から見た状態のカバー部材９を示す斜視図である。図８は第１実施形態におけるヨーク７を示す図であり、図８（ａ）はヨーク７の外観を示す斜視図であり、図８（ｂ）は図８（ａ）に記載のＺ２方向側から見た状態のヨーク７を示す平面図である。図９は第１実施形態におけるベース部材８を示す図であり、図９（ａ）はベース部材８の外観を示す斜視図であり、図９（ｂ）はベース部材８に埋設されている金属部材４の外観を示す模式透視図である。
【００２２】
第１実施形態におけるレンズ駆動装置１００は、図１に示すように、直方体状に形成され、円形の貫通孔を備えている。また、レンズ駆動装置１００は、図２に示すように、レンズ保持部材１、支持部材７０、磁石５、コイル６、弾性部材１０を有している。なお、支持部材７０はヨーク７、ベース部材８、カバー部材９により構成され、弾性部材１０は上側板ばね２と下側板ばね３とにより構成されている。
【００２３】
レンズ保持部材１は合成樹脂材からなり、図３に示すように、レンズ体ＬＥを保持可能な筒状に形成されている。レンズ保持部材１は、円筒状に形成された筒状部１ａを有する。筒状部１ａは、両端が開放され中空の開口部１ｂを有している。なお、開口部１ｂの内周壁に沿ってレンズ体を保持するためのネジ山が形成されている。また、筒状部１ａの外周面には、外方へ向かって突出したコイル保持部１ｃが等間隔に４箇所設けられている。なお、本実施形態においては、筒状部１ａのＸ１−Ｘ２方向の両側、およびＹ１−Ｙ２方向の両側に設けられている。また、コイル保持部１ｃの上部（Ｚ１方向側）には、コイル保持部１ｃから筒状部１ａの上端まで延設された上側板ばね配置部１ｄが形成されている。また、レンズ保持部材１は、筒状部１ａの下端側（Ｚ２方向側）に、端部の外周面から離れる方向へ延設された鍔部１ｅを有している。鍔部１ｅは筒状部１ａのほぼ全周にわたって設けられている。鍔部１ｅを含めて筒状部１ａの下端側の端面には、下側保持突起１ｆと巻回用突起１ｇとが形成されている。下側保持突起１ｆは、円柱状に光軸方向ＤＲ１（Ｚ１−Ｚ２方向）に沿って（Ｚ２方向へ向かって）突出して設けられ、開口部１ｂを挟んで対向するある位置（図３においてはＹ１方向側とＹ２方向側）にそれぞれ２箇所ずつと、ある位置とは異なる開口部１ｂを挟んで対向する位置（図３においてはＸ１方向側とＸ２方向側）に１箇所ずつ設けられている。また、巻回用突起１ｇは、ある位置とは異なる開口部１ｂを挟んで対向する位置に設けられた下側保持突起１ｆに並ぶように、光軸方向ＤＲ１に沿って（Ｚ２方向へ向かって）突出して直方体状に形成され、それぞれ１箇所ずつ設けられている。
【００２４】
コイル６は導電性を備えた金属線材からなり、図２に示すように、筒の外周に沿って巻回されたように形成された巻回部６ａを有し、金属線材の両側の端部６ｂは巻回部６ａから延出して設けられている。なお、巻回部６ａを形成する部分の金属線材は、表面が非導電性の材料により被覆されており、巻回された箇所同士は、金属線材の表面においては絶縁され、コイルに電流を流した場合には、電流は金属線材に沿って周回するように流れる。なお、第１実施形態においては、図４に示すように、コイル６はレンズ保持部材１の外周に沿うようにコイル保持部１ｃに金属線材が巻かれて形成される。コイル保持部１ｃは筒状部１ａの外周面に対して突出するように形成されているため、巻回部６ａのコイル保持部１ｃに接触していない箇所は、筒状部１ａとの間に隙間を有している。また、コイル６の端部６ｂは、それぞれレンズ保持部材１の巻回用突起１ｇに巻かれて保持される。巻回用突起１ｇに巻かれて保持されたコイル６の端部６ｂの先端は巻回用突起１ｇに、接着剤等で止められている、あるいは金属線材が樹脂に埋め込まれている、等の方法で、巻きつけた金属線材がほつれないようにする手当てが施されている。なお、巻き始めにおいては、巻回用突起１ｇに接した状態で並べた端部６ｂの先端部を、巻回用突起１ｇとともに、その周囲に先端部以外の箇所を巻きつけることで押さえる方法であっても良い。また、巻回用突起１ｇに巻かれたコイル６の端部６ｂが、巻回用突起１ｇの根元部側から延出して巻回部６ａと繋がっている。
【００２５】
弾性部材１０は、図２および図５に示すように、上側板ばね２と下側板ばね３との２つの板ばねにより構成されている。上側板ばね２及び下側板ばね３は金属薄板からなり、図５に示すように、一部ＰＡ（図５参照）と他部ＰＢ（図５参照）との間に、少なくとも１つの折返し部ＲＰと折返し部ＲＰに繋がる複数の腕部ＡＰとを有するばね部ＳＰを備えている。また、上側板ばね２と下側板ばね３とのうちの少なくとも一方は、複数の腕部ＡＰの長さが異なっていると共に、長さの長い腕部ＡＰの断面積を長さの短い腕部ＡＰの断面積よりも大きくしている。なお、第１実施形態においては、上側板ばね２のみ、長さの長い腕部ＡＰの断面積を長さの短い腕部ＡＰの断面積よりも大きくしている。以下に、上側板ばね２及び下側板ばね３について詳細に説明する。
【００２６】
上側板ばね２は、図５に示すように、金属薄板を板金加工によって、長方形の環状に形成されている。上側板ばね２は、長方形の環状に形成された上側固定部２ａを有している。上側固定部２ａは前述の他部ＰＢに相当する部位である。上側固定部２ａの四隅には、それぞれ円形の貫通孔である上側固定孔２ｄが形成されている。また、上側板ばね２は、上側固定部２ａの内側に配置され、円形の環状に形成された上側可動部２ｂを有している。上側可動部２ｂは前述の一部ＰＡに相当する部位である。上側可動部２ｂは円環状に形成された上側円環部２ｅと、上側円環部２ｅの一部が外方へ突出するように矩形状に形成された上側取付部２ｆと、を有している。一部ＰＡを構成する上側取付部２ｆは、レンズ保持部材１の上側板ばね配置部１ｄに係合可能に形成されるとともに、上側円環部２ｅに沿って等間隔に４箇所形成されており、第１実施形態においては、Ｘ１−Ｘ２方向の両端部およびＹ１−Ｙ２方向の両端部に形成されている。また、上側板ばね２は、上側固定部２ａと上側可動部２ｂとをつなぐばね部ＳＰ（以下、上側板ばね２のばね部ＳＰは上側ばね部２ｃと記載する）を有している。上側ばね部２ｃは、上側固定部２ａの四隅部から延設され、最も近い位置にあるＹ１方向側またはＹ２方向側に配置された上側取付部２ｆに接続されている。例えば、上側固定部２ａの四隅のうち、Ｘ１方向側でかつＹ２方向側の隅部から延設された上側ばね部２ｃは、Ｙ２方向側に形成された上側取付部２ｆのＸ１方向側に連結されている。上側ばね部２ｃは弾性を有しており、上側固定部２ａを固定した場合、円形に形成された上側可動部２ｂを円形の中心を通り、上側板ばね２の板面に直交する軸ＳＦに沿って移動可能に、上側固定部２ａと上側可動部２ｂとをつないでいる。なお、軸ＳＦの延出方向は光軸方向ＤＲ１に沿った方向であるとともに、図５におけるＺ１−Ｚ２方向に一致する。
【００２７】
また、上側ばね部２ｃは、図６に示すように、２つの折返し部ＲＰと３つの腕部ＡＰとから形成されている。詳細には、上側固定部２ａの隅部から延設された腕部ＡＰである第１上側腕部２ｇと、円弧状に形成され一端が第１上側腕部２ｇに連結された第１上側折返し部２ｈと、第１上側腕部２ｇと並列となるように第１上側折返し部２ｈの他端から延設された第２上側腕部２ｋと、円弧状に形成され一端が第２上側腕部２ｋに連結された第２上側折返し部２ｍと、第２上側腕部２ｋと並列となるように第２上側折返し部２ｍの他端から延設され上側取付部２ｆに連結された第３上側腕部２ｎと、からなる。また、第２上側腕部２ｋは第１上側腕部２ｇより長さが長く、第３上側腕部２ｎは第２上側腕部２ｋより長さが長い。前述のとおり、上側板ばね２は、長さの長い腕部ＡＰの断面積を長さの短い腕部ＡＰの断面積よりも大きくしているため、上側板ばね２における腕部ＡＰの断面積は、第１上側腕部２ｇよりも第２上側腕部２ｋが大きく、第２上側腕部２ｋよりも第３上側腕部２ｎが大きい。なお、第１実施形態においては、上側板ばね２は何れの箇所においても金属薄板の厚さ寸法が同一であり、長さの長い腕部ＡＰと長さの短い腕部ＡＰとは、厚さ寸法が同一である。したがって、長さの長い腕部ＡＰの幅寸法を長さの短い腕部ＡＰの幅寸法よりも太くする構成であり、上側板ばね２における腕部ＡＰの幅寸法は、第１上側腕部２ｇの幅寸法ｗ１よりも第２上側腕部２ｋの幅寸法ｗ２が大きく、第２上側腕部２ｋの幅寸法ｗ２よりも第３上側腕部２ｎの幅寸法ｗ３が大きい。
【００２８】
下側板ばね３は、図５に示すように、金属薄板を板金加工した第１下側板ばね３ａと第２下側板ばね３ｂとを並べて配置することで、略長方形の環状に形成されている。なお、第１下側板ばね３ａと第２下側板ばね３ｂとは線対称形状に形成されているため、以下の説明においては第１下側板ばね３ａの説明をもって、第２下側板ばね３ｂの説明は省略する。第１下側板ばね３ａは、円弧状（半円状）に形成された下側可動部３ｃを有している。下側可動部３ｃは前述の一部ＰＡに相当する部位である。下側可動部３ｃは、下側可動部３ｃが成す円弧の中点位置付近に、平板状に形成された下側取付部３ｒが形成されている。また、下側可動部３ｃは、一部ＰＡを構成する下側可動部３ｃの両端部と、下側取付部３ｒとに、レンズ保持部材１の下側保持突起１ｆを挿入可能な貫通孔に形成された第１下側固定孔３ｄがそれぞれ１個ずつ設けられている。また、第１下側板ばね３ａは、下側可動部３ｃが成す円弧の外側に配置された下側固定部３ｅを有している。下側固定部３ｅは、前述の他部ＰＢに相当する部位である。下側固定部３ｅは直線状に形成された線状部３ｆを有し、線状部３ｆの両端部には下側可動部３ｃ側に突出し、下側可動部３ｃの外形に沿うように略三角形の板状に形成された板状部３ｇが形成されている。他部ＰＢを構成する板状部３ｇにはそれぞれ貫通孔である第２下側固定孔３ｓが１つずつ形成されている。また、一方（Ｙ２方向側）の板状部３ｇには長方形状の貫通孔である溶接部３ｔが形成されている。なお、下側固定部３ｅの一方の板状部３ｇから他方の板状部３ｇまでの距離は、下側可動部３ｃの一端から他端までの距離とほぼ同じ寸法である。また、下側板ばね３は、下側固定部３ｅと下側可動部３ｃとをつなぐばね部ＳＰ（以下、下側板ばね３のばね部ＳＰは下側ばね部３ｈと記載する）を有している。下側ばね部３ｈは、下側固定部３ｅの両端の板状部３ｇから延設され、それぞれの板状部３ｇと同じ側に配置された下側可動部３ｃの両端部に接続されている。下側ばね部３ｈは２つの折返し部ＲＰと３つの腕部ＡＰとから形成されている。詳細には、下側固定部３ｅの板状部３ｇから延設された腕部ＡＰである第１下側腕部３ｋと、円弧状に形成され一端が第１下側腕部３ｋに連結された第１下側折返し部３ｍと、第１下側腕部３ｋと並列となるように第１下側折返し部３ｍの他端から延設された第２下側腕部３ｎと、円弧状に形成され一端が第２下側腕部３ｎに連結された第２下側折返し部３ｐと、第２下側腕部３ｎと並列となるように第２下側折返し部３ｐの他端から延設され下側可動部３ｃの端部に連結された第３下側腕部３ｑと、からなる。このように形成された下側ばね部３ｈは弾性を有しており、下側固定部３ｅを固定した場合、円弧状に形成された下側可動部３ｃを円弧の中心を通り、下側板ばね３の板面に直交する軸ＳＦに沿って移動可能に、下側可動部３ｃと下側固定部３ｅとをつないでいる。このようにして第１下側板ばね３ａは形成される。なお、第２下側板ばね３ｂは第１下側板ばね３ａに対して線対称の形状に形成されており、その対称軸ＡＸは、下側可動部３ｃの両端を結ぶ直線に平行であり、下側可動部３ｃを挟んで下側固定部３ｅが配置された側とは反対側にある。第１下側板ばね３ａと第２下側板ばね３ｂとを、互いの下側可動部３ｃの両端同士を対向するように配置することで、下側板ばね３は外形が長方形の環状に形成される。
【００２９】
支持部材７０は、図２に示すように、ヨーク７と、ベース部材８と、カバー部材９と、から形成される。
【００３０】
カバー部材９は合成樹脂材からなり、図７に示すように、長方形の平板状に形成されている。カバー部材９は中央部を貫通して形成された開口部９ａを有し、開口部９ａは円形状に形成されている。カバー部材９は下面（Ｚ２方向側の面）の四隅部に、それぞれ下方突出し円柱状に形成された保持ピン９ｂを有している。保持ピン９ｂは上側板ばね２の上側固定孔２ｄに挿入可能な大きさに形成されるとともに、配置間隔は上側固定孔２ｄの配置間隔に合わせて設定されている。また、カバー部材９は、下面の開口部９ａの周囲が凹形状に形成された凹部９ｃを有している。
【００３１】
ヨーク７は磁性を有する金属板からなり、図８に示すように、内部が中空で略直方体状に形成されるとともに、下方が開放されている。ヨーク７は、環状の外壁部７ａと、外壁部７ａの内側に位置する４つの内壁部７ｂと、外壁部７ａと内壁部７ｂとを間隔をあけて連結する天板部７ｃとを有し、外壁部７ａと内壁部７ｂとは天板部７ｃに対して垂直で同一な方向（Ｚ２方向）へ突出して設けられている。四方の外壁部７ａはそれぞれ交差し、交差する箇所にはそれぞれ角部７ｄが形成されている。角部７ｄの下方端（Ｚ２方向側の端部）には、角部７ｄに交差するとともに角部７ｄの外方となる方向へ突出して平板状に形成された舌片部７ｇが設けられている。内壁部７ｂは、外壁部７ａの内側であり、角部７ｄに対向する位置にそれぞれ設けられている。内壁部７ｂは、Ｚ１-Ｚ２方向からの平面視にて、それぞれ角部７ｄに向かって凸となるように湾曲して形成されており、円弧形状をなして配置されている。また、内壁部７ｂは、天板部７ｃの一部を板金加工して形成されており、天板部７ｃの中央には平面視にて内壁部７ｂがなす円弧形状に沿うように貫通孔部７ｅが形成されている。貫通孔部７ｅはレンズ保持部材１の筒状部１ａを挿通可能な直径であるとともに、内壁部７ｂがなす円弧形状の直径はコイル６の巻回部６ａの大きさよりも小さい。また、天板部７ｃの四隅には、それぞれカバー部材９の保持ピン９ｂを挿通可能な挿通孔７ｆが形成されている。
【００３２】
ベース部材８は合成樹脂材からなり、図９に示すように、上方（Ｚ１方向側）から平面視するとその外形は長方形状であり、中央に円形状の貫通した孔である開口孔部８ａを有した環状に形成されている。ベース部材８は上面の四隅に、それぞれ平面状に形成された載置部８ｃを有し、載置部８ｃには、上方へ突出した取り付け突起８ｂを有している。また、取り付け突起８ｂは、下側板ばね３の第２下側固定孔３ｓに挿通可能な大きさに形成されるとともに、第２下側固定孔３ｓの配置に対応して配置されている。また、ベース部材８には金属板材からなる金属部材４が一部露出した状態で埋設されている。ベース部材８の一方側（Ｙ２方向側）に設けられた載置部８ｃには、金属部材４の一部である第１接続面部４ａと第２接続面部４ｂとが露出して設けられている。第１接続面部４ａはＸ１方向側の載置部８ｃに露出し、第２接続面部４ｂはＸ２方向側の載置部８ｃに露出しており、第１接続面部４ａと第２接続面部４ｂとは絶縁されている。また、ベース部材８の下面の一方側の端部には、金属部材４の一部である第１接続端子部４ｃと第２接続端子部４ｄとが下方へ突出して設けられている。第１接続端子部４ｃは下面のＸ１方向側から突出し、第２接続端子部４ｄは下面のＸ２方向側から突出して形成されている。なお、第１接続面部４ａと第１接続端子部４ｃとは電気的に接続されるとともに、第２接続面部４ｂと第２接続端子部４ｄとは電気的に接続されている。また、ベース部材８の四隅には金属部材４の一部である保持部４ｅが露出しており、保持部４ｅはベース部材８の外形に沿うように矩形状に形成された一つの部材で形成されている。なお、保持部４ｅは第１接続面部４ａおよび第２接続面部４ｂとは絶縁されている。
【００３３】
磁石５はヨーク７の内壁部７ｂ、角部７ｄ、および角部７ｄに連続する外壁部７ａに挟まれた空間に配置可能に形成され、図１に示すように、Ｚ１方向から平面視したときに斜辺の長さが等しい略台形の柱状に形成されている。なお、台形の短辺に対応する面を第１面５ａ、斜辺に対応する面を第２面５ｂ、長辺に対応する面を第３面５ｃとする。第１面５ａはヨーク７の角部７ｄの内面形状に一致するように形成され、第２面５ｂは外壁部７ａの内面形状に一致するように形成され、第３面５ｃは、内壁部７ｂに沿うように湾曲して形成されている。
【００３４】
次にレンズ駆動装置１００の構造について図４と図１０ないし図１６を用いて説明する。図１０は第１実施形態における上側板ばね２、カバー部材９およびヨーク７の係合方法について示す説明図であり、図１０（ａ）は上側板ばね２、カバー部材９およびヨーク７の位置関係を示す分解斜視図であり、図１０（ｂ）は上側板ばね２、カバー部材９およびヨーク７が一体に形成された状態を示す斜視図である。図１１は第１実施形態における磁石５の固定方法について示す説明図であり、図１１（ａ）は磁石５とヨーク７との位置関係を示す分解斜視図であり、図１１（ｂ）は磁石５がヨーク７の内部に固定された状態を示す平面図である。図１２は第１実施形態における下側板ばね３のレンズ保持部材１への固定方法について示す説明図であり、図１２（ａ）は下側板ばね３とレンズ保持部材１との位置関係について示す分解斜視図であり、図１２（ｂ）は下側板ばね３がレンズ保持部材１に固定された状態を示す斜視図である。図１３は図１２に記載のＢ部を拡大して示す拡大図であり、図１３（ａ）は図１２に記載のＸ２方向側から見た状態のＢ部を示す拡大側面図であり、図１３（ｂ）は図１２に記載のＺ２方向側から見た状態のＢ部を示す拡大平面図である。図１４は第１実施形態における下側板ばね３のベース部材８への固定方法について示す説明図であり、図１４（ａ）は下側板ばね３とベース部材８との位置関係を示す分解斜視図であり、図１４（ｂ）は下側板ばね３がベース部材８に固定された状態を示す斜視図である。図１５は第１実施形態におけるヨーク７とベース部材８との固定方法およびレンズ保持部材１と上側板ばね２との固定方法について示す説明図であり、図１５（ａ）はヨーク７とベース部材８との位置関係を示す分解斜視図であり、図１５（ｂ）はヨーク７とベース部材８とが固定された状態およびレンズ保持部材１と上側板ばね２とが固定された状態を示す斜視図である。図１６は図１に記載のレンズ駆動装置１００を図１に記載のＺ１方向側から平面視したときに、レンズ駆動装置１００を対角線に沿って切断した断面を模式的に示す模式断面図である。
【００３５】
図１０に示すように、上側板ばね２はカバー部材９とヨーク７との間に挟持される。この時、カバー部材９とヨーク７とは、カバー部材９の保持ピン９ｂが設けられた面と、ヨーク７の天板部７ｃと、が対向するように配置される。また、カバー部材９の保持ピン９ｂは、上側板ばね２の上側固定孔２ｄ及びヨーク７の挿通孔７ｆに挿通されるとともに、保持ピン９ｂの先端部がかしめられ、上側板ばね２とカバー部材９とヨーク７とは一体に形成される。なお、上側板ばね２は上側固定部２ａのみが係止されており、上側ばね部２ｃが撓むことで、上側可動部２ｂは光軸方向ＤＲ１（Ｚ１−Ｚ２方向）へ移動可能（変位可能）である。
【００３６】
磁石５は、図１１に示すように、上側板ばね２およびカバー部材９と一体に形成されたヨーク７の外壁部７ａの内側に配置される。磁石５は角部７ｄの内周面に第１面５ａを接触し、また第２面５ｂを角部７ｄに連続する外壁部７ａの内周面に接触するとともに、かしめられた保持ピン９ｂに接触する位置まで挿入され、接着剤によりヨーク７の内側に保持される。これにより、上側板ばね２、カバー部材９、ヨーク７、磁石５は一体に形成される。
【００３７】
コイル６は、図４に示すとともに前述の通り、レンズ保持部材１の外周に巻回され、端部６ｂは、それぞれレンズ保持部材１の巻回用突起１ｇに巻かれて保持される。このようにコイル６が巻回されたレンズ保持部材１に対して、下側板ばね３は、図１２に示すように、第１下側固定孔３ｄに、それぞれレンズ保持部材１の下側保持突起１ｆが挿入されるとともに、下側保持突起１ｆの先端部がかしめられることで、下側可動部３ｃがレンズ保持部材１に連結され保持される。このように下側板ばね３がレンズ保持部材１に保持されることで、コイル６の端部６ｂが巻回された巻回用突起１ｇは、下側板ばね３の下側取付部３ｒの端部との間に微小な隙間を空けて、並べて配置される。このように配置された下側取付部３ｒと巻回用突起１ｇに巻回された端部６ｂとは、図１３に示すように、半田ＳＯを用いて半田付けすることにより電気的に接続されるとともに、固定される。このようにコイル６の端部６ｂと下側取付部３ｒとが半田付けされることで、第１下側板ばね３ａと第２下側板ばね３ｂとは、コイル６を介して電気的に接続される。
【００３８】
図１４に示すように、一体に形成されたレンズ保持部材１、コイル６、下側板ばね３は、下側板ばね３の第２下側固定孔３ｓに取り付け突起８ｂを挿入するように、ベース部材８の載置部８ｃに重ねて配置され、取り付け突起８ｂの先端部がかしめられることで、光軸方向ＤＲ１（Ｚ１−Ｚ２方向）へ移動可能にベース部材８に保持される。また、このとき、第１接続面部４ａおよび第２接続面部４ｂと、溶接部３ｔとが接触するように配置されるとともに、第１接続面部４ａおよび第２接続面部４ｂと、溶接部３ｔとは溶接ＷＥにより接合され、第１接続端子部４ｃと第２接続端子部４ｄとは、下側板ばね３およびコイル６を介して電気的に接続される。すなわち、第１接続端子部４ｃおよび第２接続端子部４ｄからコイル６に電流を流すことが可能となる。
【００３９】
図１５に示すように、一体に形成されたレンズ保持部材１、コイル６、下側板ばね３、ベース部材８の上方に、一体に形成された上側板ばね２、カバー部材９、ヨーク７、磁石５（図１１参照）を、ヨーク７の舌片部７ｇがベース部材８から露出した保持部４ｅに接触するように配置する。接触した舌片部７ｇと保持部４ｅとは溶接ＷＥにより固定される。また、各構成部品をこのように配置することで、上側板ばね２の上側取付部２ｆはレンズ保持部材１の上側板ばね配置部１ｄと係合する。係合した上側取付部２ｆと上側板ばね配置部１ｄとは接着剤により固定される。このように形成されることで、図１６に示すように、一部ＰＡ（上側可動部２ｂおよび下側可動部３ｃ）がレンズ保持部材１に固定されるとともに、他部ＰＢ（上側固定部２ａおよび下側固定部３ｅ）が支持部材７０に固定された上側板ばね２及び下側板ばね３は、レンズ保持部材１を光軸方向ＤＲ１へ移動可能に支持する。また、このように形成されることで、ヨーク７の内壁部７ｂはレンズ保持部材１の筒状部１ａとコイル６との間の隙間に挿入するように配置されるとともに、筒状部１ａおよびコイル６から離間している。また、磁石５はコイル６に対向する位置に、コイル６から離間して配置される。したがって、外壁部７ａ、内壁部７ｂ、磁石５、コイル６が同一直線上に配置され、磁石５、コイル６及びヨーク７を有して構成される移動機構５０が形成される。このようにしてレンズ駆動装置１００は形成される。
【００４０】
次にレンズ駆動装置１００の動作について図１６を用いて説明する。
【００４１】
レンズ駆動装置１００において、図１６に示すように、レンズ保持部材１は上側板ばね２と下側板ばね３とにより光軸方向ＤＲ１に沿って移動可能に保持されている。レンズ保持部材１は、コイル６に電流を通電しない初期状態において、下側板ばね３の弾性力と上側板ばね２の弾性力とが釣り合う位置に位置している。第１接続端子部４ｃおよび第２接続端子部４ｄを介してコイル６に電流を通電すると、コイル６は磁石５の磁界の中に配置されているため、コイル６にはローレンツ力が働く。コイル６はレンズ保持部材１の筒状部１ａの外周に沿うように巻回され、磁石５の磁界はコイル６に交差し内壁部７ｂと磁石５との間を繋ぐように形成されるため、ローレンツ力は光軸方向ＤＲ１のいずれかの方向、すなわちＺ１方向またはＺ２方向に働く。そのため、移動機構５０はコイル６と一体に形成されたレンズ保持部材１を弾性部材１０の弾性力に抗して光軸方向ＤＲ１に沿って移動させることができる。また、電流の向きを逆にすることで、レンズ保持部材１の移動方向をかえることもできる。したがって、レンズ体ＬＥ（図３参照）が取り付けられたレンズ保持部材１を光軸方向ＤＲ１に沿って移動させることで、撮影画像の焦点を合わせることができる。
【００４２】
以下、第１実施形態としたことによる効果について説明する。
【００４３】
第１実施形態のレンズ駆動装置１００は、レンズ体ＬＥを保持可能なレンズ保持部材１と、一部がレンズ保持部材１に固定されレンズ保持部材１を光軸方向ＤＲ１へ移動可能に支持する上側板ばね２及び下側板ばね３と、上側板ばね２及び下側板ばね３の他部が固定される支持部材７０と、レンズ保持部材１を光軸方向ＤＲ１に沿って移動させる少なくとも磁石５及びコイル６を有して構成される移動機構５０と、を備え、上側板ばね２及び下側板ばね３は、一部と他部との間に、少なくとも１つの折返し部ＲＰと折返し部ＲＰに繋がる複数の腕部ＡＰとを有するばね部ＳＰを備えたレンズ駆動装置において、上側板ばね２と下側板ばね３とのうちの少なくとも一方は、複数の腕部ＡＰの長さが異なっていると共に、長さの長い腕部ＡＰの断面積を長さの短い腕部ＡＰの断面積よりも大きくした、ことを特徴とする。
【００４４】
これにより、腕部ＡＰの長さが異なっていても、長さの長い腕部ＡＰの断面積を長さの短い腕部ＡＰの断面積よりも大きくしているので、複数の腕部ＡＰのばね定数を同じ値に近づけることができる。このため、ばね部ＳＰのばね定数が、レンズ保持部材１の光軸方向ＤＲ１における位置で変わりにくくなり、コイル６に通電した際のレンズ保持部材１の位置の変位の直線性を改善することができる。
【００４５】
また、第１実施形態のレンズ駆動装置１００は、長さの長い腕部ＡＰと長さの短い腕部ＡＰとは、厚さ寸法が同一であり、長さの長い腕部ＡＰの幅寸法を長さの短い腕部ＡＰの幅寸法よりも太くした、ことを特徴とする。
【００４６】
これにより、厚さ寸法を固定し、幅寸法を変えることで断面積を調整する構成とすることにより、部位毎に厚さ寸法を変えることで断面積を調整する構成に比べて容易に断面積の調整を行うことができる。
【００４７】
［第２実施形態］
以下に第２実施形態におけるレンズ駆動装置２００について説明する。なお、第２実施形態におけるレンズ駆動装置２００は第１実施形態におけるレンズ駆動装置１００の下側板ばね３とは形状が異なる下側板ばね３２を用いている以外はレンズ駆動装置１００と同じ構成部品でかつ同じ構造である。したがって、以下の説明においては、下側板ばね３２、および下側板ばね３２を用いることによる変化点についてのみ記載し、共通部分については説明を省略する。また、レンズ駆動装置１００と共通の構成部品については同じ名称及び同じ符号を用いて説明する。また、下側板ばね３２を用いることで、下側板ばね３２が固定される側の構成部品の固定構造も一部変更が必要ではあるが、以下の説明においては説明を省略する。また、レンズ駆動装置２００の外観はレンズ駆動装置１００の外観と同じであることから図示しない。
【００４８】
まず始めに第２実施形態におけるレンズ駆動装置２００の構成について図１７を用いて説明する。図１７は第２実施形態における下側板ばね３２を示す図であり、図１７（ａ）は下側板ばね３２の外観を示す平面図であり、図１７（ｂ）は図１７（ａ）に記載のＣ部を拡大して示す拡大図である。
【００４９】
下側板ばね３２は、図１７に示すように、金属薄板を板金加工した第１下側板ばね３２ａと第２下側板ばね３２ｂとを並べて配置することで、略長方形の環状に形成されている。なお、第１下側板ばね３２ａと第２下側板ばね３２ｂとは線対称形状に形成されているため、以下の説明においては第１下側板ばね３２ａの説明をもって、第２下側板ばね３２ｂの説明は省略する。第１下側板ばね３２ａは、略円弧状に形成された下側可動部３２ｃを有している。下側可動部３２ｃは前述の一部ＰＡに相当する部位である。下側可動部３２ｃは、下側可動部３２ｃが成す円弧の中点位置付近に、平板状に形成された下側取付部３２ｒが形成され、両端部に平板状に形成された接続部３２ｘが形成されている。また、第１下側板ばね３２ａは、下側可動部３２ｃが成す円弧の外側に配置された下側固定部３２ｅを有している。下側固定部３２ｅは、前述の他部ＰＢに相当する部位である。下側固定部３２ｅは略矩形状に形成されるとともに、矩形状の中点位置で２分割されて第１固定部３２ｖと第２固定部３２ｗとから構成されている。第１固定部３２ｖと第２固定部３２ｗとは、それぞれの両端部に下側固定孔３２ｄが設けられている。また、下側板ばね３２は、下側固定部３２ｅと下側可動部３２ｃとをつなぐばね部ＳＰ（以下、下側板ばね３２のばね部ＳＰは下側ばね部３２ｈと記載する）を有している。下側ばね部３２ｈは、第１固定部３２ｖおよび第２固定部３２ｗの、第１固定部３２ｖと第２固定部３２ｗとが対向する側の端部からそれぞれ延設され、それぞれの端部と同じ側に配置された下側可動部３２ｃの接続部３２ｘに接続されている。下側ばね部３２ｈは１つの折返し部ＲＰと２つの腕部ＡＰとから形成されている。詳細には、下側ばね部３２ｈは、第１固定部３２ｖおよび第２固定部３２ｗから、下側可動部３２ｃの成す円弧に沿うように、下側可動部３２ｃから離れる方向へ延設された腕部ＡＰである第１下側腕部３２ｋと、円弧状に形成され一端が第１下側腕部３２ｋに連結された第１下側折返し部３２ｍと、第１下側腕部３２ｋと並列となるように第１下側折返し部３２ｍの他端から延設され、下側可動部３２ｃの接続部３２ｘに連結された第２下側腕部３２ｎと、からなる。なお、第１下側腕部３２ｋの長さは、第２下側腕部３２ｎの長さよりも長い。第１下側腕部３２ｋと第２下側腕部３２ｎとは同じ板厚に形成されるとともに、長さの長い腕部ＡＰである第１下側腕部３２ｋの幅寸法は、長さの短い腕部ＡＰである第２下側腕部３２ｎの幅寸法よりも太く形成されている。すなわち、第１下側腕部３２ｋの断面積は第２下側腕部３２ｎの断面積よりも大きく形成されている。また、長さの長い腕部ＡＰである第１下側腕部３２ｋは、長さの短い腕部ＡＰである第２下側腕部３２ｎから離れた一端部から、長さの短い腕部ＡＰ（第２下側腕部３２ｎ）側に位置する他端部側に向かって、次第に幅寸法が狭くなっているとともに、蛇行するように延設されている。このように形成された下側ばね部３２ｈは弾性を有しており、下側固定部３２ｅを固定した場合、円弧状に形成された下側可動部３２ｃを円弧の中心を通り、下側板ばね３２の板面に直交する軸ＳＦに沿って移動可能に、下側可動部３２ｃと下側固定部３２ｅとをつないでいる。このようにして第１下側板ばね３２ａは形成される。なお、第２下側板ばね３２ｂは第１下側板ばね３２ａに対して線対称の形状に形成されており、その対称軸ＡＸは、第１固定部３２ｖと第２固定部３２ｗとの距離が遠い側の端部同士を結ぶ直線に平行であり、第１下側板ばね３２ａの下側可動部３２ｃの成す円弧の中心を通る線上にある。第１下側板ばね３２ａと第２下側板ばね３２ｂとを、互いの下側可動部３２ｃの両端同士を対向するように配置することで、下側板ばね３２は外形が略長方形の環状に形成される。
【００５０】
次に第２実施形態におけるレンズ駆動装置２００の構成について説明する。レンズ駆動装置２００は、弾性部材１０に下側板ばね３２を用いることで、上側板ばね２と下側板ばね３２との両方が、複数の腕部ＡＰの長さが異なっていると共に、長さの長い腕部ＡＰの断面積を長さの短い腕部ＡＰの断面積よりも大きくしている構成となる。
【００５１】
以下、第２実施形態としたことによる効果について説明する。
【００５２】
第２実施形態のレンズ駆動装置２００は、長さの長い腕部ＡＰ（第１下側腕部３２ｋ）は、長さの短い腕部ＡＰ（第２下側腕部３２ｎ）から離れた一端部から長さの短い腕部ＡＰ（第２下側腕部３２ｎ）側に位置する他端部側に向かって、次第に幅寸法が狭くなっている、ことを特徴とする。
【００５３】
これにより、長さの長い腕部ＡＰ（第１下側腕部３２ｋ）が、一端部から長さの短い腕部ＡＰ（第２下側腕部３２ｎ）側に位置する他端部側に向かって次第に幅寸法を狭くする構造とした。このような構造にすることで、長さの長い腕部ＡＰ（第１下側腕部３２ｋ）におけるばね定数と長さの短い腕部ＡＰ（第２下側腕部３２ｎ）のばね定数とを同じ値に近づけるとともに、折返し部ＲＰ（第１下側折返し部３２ｍ）における長さの長い腕部ＡＰ（第１下側腕部３２ｋ）側の幅寸法と長さの短い腕部ＡＰ（第２下側腕部３２ｎ）側の幅寸法との差を小さくすることができる。したがって、急激にばね部ＳＰの幅寸法が変化する箇所が無くなり、応力の集中による破断や座屈などを発生しにくくすることができる。
【００５４】
また、第２実施形態のレンズ駆動装置２００は、長さの長い腕部ＡＰ（第１下側腕部３２ｋ）は、蛇行するように延設されている、ことを特徴とする。
【００５５】
これにより、長さの長い腕部ＡＰ（第１下側腕部３２ｋ）を、蛇行するように延設することで、限られた領域の中で腕部ＡＰの長さをより長く確保することが可能となり、長さの長い腕部ＡＰ（第１下側腕部３２ｋ）のばね定数と長さの短い腕部ＡＰ（第２下側腕部３２ｎ）のばね定数とを同じ値に近づくように調整し易くすることができる。
【００５６】
また、第２実施形態のレンズ駆動装置２００は、上側板ばね２と下側板ばね３２との両方が、複数の腕部ＡＰの長さが異なっていると共に、長さの長い腕部ＡＰ（第１下側腕部３２ｋ）の断面積を長さの短い腕部ＡＰ（第２下側腕部３２ｎ）の断面積よりも大きくしている、ことを特徴とする。
【００５７】
これにより、両方の板ばね（上側板ばね２および下側板ばね３２）のばね部ＳＰのばね定数が、レンズ保持部材１の光軸方向ＤＲ１における位置によって変化しにくくなり、コイル６に通電した際のレンズ保持部材１の位置の変位の直線性を、いっそう向上させることができる。
【００５８】
以上のように、本発明の実施形態に係るレンズ駆動装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５９】
第１実施形態および第２実施形態において、ばね部ＳＰの具体的形状として、上側板ばね２、下側板ばね３および下側板ばね３２のばね部ＳＰを示したが、図１８に示すような形状であっても良い。図１８はばね部ＳＰの形状の変形例を示す図であり、図１８（ａ）は弾性部材１０の形状の変形例を示す平面図であり、図１８（ｂ）は図１８（ａ）に示すＤ部を拡大して示す拡大図である。
【００６０】
第１実施形態および第２実施形態において、長さの長い腕部ＡＰの断面積を、長さの短い腕部ＡＰの断面積よりも大きくするために、長さの長い腕部ＡＰの板厚と長さの短い腕部ＡＰの板厚を同じ寸法とし、幅寸法を変える構成としたが以下のような構成であっても良い。長さの長い腕部ＡＰの幅寸法と長さの短い腕部ＡＰの幅寸法を同じ寸法とし、板厚寸法を変える構成や、幅寸法または板厚寸法のいずれかの寸法を同じ寸法とすることなく、長さの長い腕部ＡＰの断面積を、長さの短い腕部ＡＰの断面積よりも大きくする構成であっても良い。
【００６１】
第１実施形態においては、上側板ばね２においてのみ、複数の腕部ＡＰの長さが異なっていると共に、長さの長い腕部ＡＰ（第２上側腕部２ｋ）の断面積を長さの短い腕部ＡＰ（第１上側腕部２ｇ）の断面積よりも大きい構造とし、第２実施形態においては、上側板ばね２と下側板ばね３２とにおいて、同様の構造とした。しかし、下側板ばねにおいてのみ、同様の構造としても良い。
【符号の説明】
【００６２】
１      レンズ保持部材
１ａ    筒状部
１ｂ    開口部
１ｃ    コイル保持部
１ｄ    上側板ばね配置部
１ｅ    鍔部
１ｆ    下側保持突起
１ｇ    巻回用突起
２      上側板ばね
２ａ    上側固定部
２ｂ    上側可動部
２ｃ    上側ばね部
２ｄ    上側固定孔
２ｅ    上側円環部
２ｆ    上側取付部
２ｇ    第１上側腕部
２ｈ    第１上側折返し部
２ｋ    第２上側腕部
２ｍ    第２上側折返し部
２ｎ    第３上側腕部
３      下側板ばね
３ａ    第１下側板ばね
３ｂ    第２下側板ばね
３ｃ    下側可動部
３ｄ    第１下側固定孔
３ｅ    下側固定部
３ｆ    線状部
３ｇ    板状部
３ｈ    下側ばね部
３ｋ    第１下側腕部
３ｍ    第１下側折返し部
３ｎ    第２下側腕部
３ｐ    第２下側折返し部
３ｑ    第３下側腕部
３ｒ    下側取付部
３ｓ    第２下側固定孔
３ｔ    溶接部
４      金属部材
４ａ    第１接続面部
４ｂ    第２接続面部
４ｃ    第１接続端子部
４ｄ    第２接続端子部
４ｅ    保持部
５      磁石
５ａ    第１面
５ｂ    第２面
５ｃ    第３面
６      コイル
６ａ    巻回部
６ｂ    端部
７      ヨーク
７ａ    外壁部
７ｂ    内壁部
７ｃ    天板部
７ｄ    角部
７ｅ    貫通孔部
７ｆ    挿入孔
７ｇ    舌片部
８      ベース部材
８ａ    開口孔部
８ｂ    取り付け突起
８ｃ    載置部
９      カバー部材
９ａ    開口部
９ｂ    保持ピン
９ｃ    凹部
１０    弾性部材
３２    下側板ばね
３２ａ    第１下側板ばね
３２ｂ    第２下側板ばね
３２ｃ    下側可動部
３２ｄ    下側固定孔
３２ｅ    下側固定部
３２ｈ    下側ばね部
３２ｋ    第１下側腕部
３２ｍ    第１下側折返し部
３２ｎ    第２下側腕部
３２ｒ    下側取付部
３２ｖ    第１固定部
３２ｗ    第２固定部
３２ｘ    接続部
５０    移動機構
７０    支持部材
１００  レンズ駆動装置
２００  レンズ駆動装置
ＡＰ    腕部
ＤＲ１  光軸方向
ＬＥ    レンズ体
ＰＡ    一部
ＰＢ    他部
ＲＰ    折返し部
ＳＦ    軸
ＳＰ    ばね部
【図１】
2016053625.tif 000003
【図２】
2016053625.tif 000004
【図３】
2016053625.tif 000005
【図４】
2016053625.tif 000006
【図５】
2016053625.tif 000007
【図６】
2016053625.tif 000008
【図７】
2016053625.tif 000009
【図８】
2016053625.tif 000010
【図９】
2016053625.tif 000011
【図１０】
2016053625.tif 000012
【図１１】
2016053625.tif 000013
【図１２】
2016053625.tif 000014
【図１３】
2016053625.tif 000015
【図１４】
2016053625.tif 000016
【図１５】
2016053625.tif 000017
【図１６】
2016053625.tif 000018
【図１７】
2016053625.tif 000019
【図１８】
2016053625.tif 000020
【図１９】
2016053625.tif 000021
【図２０】
2016053625.tif 000022